(57)【要約】【課題】利用者が所望する情報を幅広い情報源から読み取ることで、利用者の情報入力にかかる労力を低減すること。【解決手段】撮影部１３に対して文書を配置した利用者から撮影指示を受け付けると、撮影画像生成部１７ａは、撮影画像を生成し、表示制御部１７ｂは、撮影画像を表示部１２のモニタにて表示するように制御する。そして、情報認識部１７ｃは、モニタに表示されている表示範囲または利用者が指定した指定範囲にて文字列認識処理を実行し、表示制御部１７ｂは、利用者が所望する処理を指定するための指定一覧をタッチパネルとして表示部１２のモニタにて表示するように制御する。端末制御部１７ｄは、利用者により処理内容が指定された場合、通信部１４を介して、処理内容に該当するアプリケーションにて、認識された文字列を用いた処理が実行されるように制御する実行指示を利用者端末２０に送信する。【選択図】図２
2010244211.tif 000002
【特許請求の範囲】
【請求項１】
利用者が操作する利用者端末と協働して、当該利用者が所望する情報の入力処理を実行する情報入力装置であって、
前記利用者が配置した文書を撮影して撮影画像を生成する撮影手段と、
前記撮影手段によって生成された前記撮影画像を所定の表示部にて表示するように制御する表示制御手段と、
前記表示制御手段の制御に基づいて前記所定の表示部にて表示された前記撮影画像において描出されている文字列を自装置または前記利用者端末が有する文字認識機能により認識し、当該認識された文字列を用いた処理が、利用者が所望するアプリケーションにて実行されるように制御するための実行指示を前記利用者端末に送信する端末制御手段と、
を備えたことを特徴とする情報入力装置。
【請求項２】
前記表示制御手段は、前記利用者が所望する処理を指定するための指定画面を前記所定の表示部に表示するように制御し、
前記端末制御手段は、前記表示制御手段の制御に基づいて前記所定の表示部に表示された前記指定画面を参照した前記利用者によって指定された処理に該当するアプリケーションにて、前記認識された文字列を用いた処理が実行されるように制御するための実行指示を送信することを特徴とする請求項１に記載の情報入力装置。
【請求項３】
前記文字認識機能が認識した文字列に含まれる情報に応じて、前記利用者が所望する処理を実行するためのアプリケーションを特定する特定手段をさらに備え、
前記端末制御手段は、前記特定手段によって特定されたアプリケーションにて、前記認識された文字列を用いた処理が実行されるように制御するための実行指示を送信することを特徴とする請求項１に記載の情報入力装置。
【請求項４】
前記文字認識機能は、前記所定の表示部に表示された前記撮影画像において前記利用者が指定した範囲に描出されている文字列を認識することを特徴とする請求項２または３に記載の情報入力装置。
【請求項５】
利用者が操作する利用者端末と協働して、当該利用者が所望する情報の入力処理を実行する情報入力装置に適用される情報入力方法であって、
前記利用者が配置した文書を撮影して撮影画像を生成する撮影ステップと、
前記撮影ステップによって生成された前記撮影画像を所定の表示部にて表示するように制御する表示制御ステップと、
前記表示制御ステップの制御に基づいて前記所定の表示部にて表示された前記撮影画像において描出されている文字列を自装置または前記利用者端末が有する文字認識機能により認識し、当該認識された文字列を用いた処理が、利用者が所望するアプリケーションにて実行されるように制御するための実行指示を前記利用者端末に送信する端末制御ステップと、
を含んだことを特徴とする情報入力方法。
【発明の詳細な説明】
【技術分野】
【０００１】
この発明は、情報入力装置および情報入力方法に関する。
【背景技術】
【０００２】
従来より、携帯電話などの携帯端末やＰＣ（Personal Computer）などの利用者端末に対して利用者が所望の情報を入力する際の労力を軽減するための多彩なサービスが知られている。
【０００３】
例えば、携帯電話の付属カメラで２次元コードであるＱＲコードを撮影し、撮影したＱＲコードに記載されているＵＲＬを読み取ることで、利用者が所望するＷｅｂｓｉｔｅを表示するサービスが知られている（例えば、非特許文献１参照）。かかるサービスを用いることで、利用者は、ＵＲＬをキー入力することなく、所望するＷｅｂｓｉｔｅを閲覧することができる。
【０００４】
また、文字認識機能を有する携帯電話の付属カメラで撮影した画像から利用者が所望する文字列を認識するサービスや、携帯電話の付属カメラで撮影した画像から、画像内に埋め込まれている「電子透かし」の情報を読み取るサービスも知られている。
【先行技術文献】
【非特許文献】
【０００５】
【非特許文献１】“バーコード読み取り機能”、［online］、［平成２１年３月３０日検索］、インターネット＜http://www.nttdocomo.co.jp/service/func_tool/barcode/index.html＞
【発明の概要】
【発明が解決しようとする課題】
【０００６】
ところで、上記した従来の技術は、ＱＲコードや画像に描出されている文字列や電子透かしの情報など、個々の情報源から利用者が所望する情報を読み取ることができるものの、特定の情報源からしか利用者が所望する情報を読み取れなかった。
【０００７】
すなわち、上記した従来の技術は、利用者が所望する情報を入力する際の労力を低減できる対象となる情報源が限定されているという課題があった。
【０００８】
そこで、この発明は、上述した従来技術の課題を解決するためになされたものであり、
利用者が所望する情報を幅広い情報源から読み取ることで、利用者の情報入力にかかる労力を低減することが可能となる情報入力装置および情報入力方法を提供することを目的とする。
【課題を解決するための手段】
【０００９】
上述した課題を解決し、目的を達成するために、この装置は、利用者が操作する利用者端末と協働して、当該利用者が所望する情報の入力処理を実行する情報入力装置であって、前記利用者が配置した文書を撮影して撮影画像を生成する撮影手段と、前記撮影手段によって生成された前記撮影画像を所定の表示部にて表示するように制御する表示制御手段と、前記表示制御手段の制御に基づいて前記所定の表示部にて表示された前記撮影画像において描出されている文字列を自装置または前記利用者端末が有する文字認識機能により認識し、当該認識された文字列を用いた処理が、利用者が所望するアプリケーションにて実行されるように制御するための実行指示を前記利用者端末に送信する端末制御手段と、を備えたことを要件とする。
【００１０】
また、この方法は、利用者が操作する利用者端末と協働して、当該利用者が所望する情報の入力処理を実行する情報入力装置に適用される情報入力方法であって、前記利用者が配置した文書を撮影して撮影画像を生成する撮影ステップと、前記撮影ステップによって生成された前記撮影画像を所定の表示部にて表示するように制御する表示制御ステップと、前記表示制御ステップの制御に基づいて前記所定の表示部にて表示された前記撮影画像において描出されている文字列を自装置または前記利用者端末が有する文字認識機能により認識し、当該認識された文字列を用いた処理が、利用者が所望するアプリケーションにて実行されるように制御するための実行指示を前記利用者端末に送信する端末制御ステップと、を含んだことを要件とする。
【発明の効果】
【００１１】
開示の装置および方法によれば、利用者が所望する情報を幅広い情報源から読み取ることで、利用者の情報入力にかかる労力を低減することが可能となる。
【図面の簡単な説明】
【００１２】
【図１】図１は、実施例１における情報入力装置の外観例を説明するための図である。
【図２】図２は、実施例１における情報入力装置の構成を説明するためのブロック図である。
【図３】図３は、実施例１において用いられる文書の具体例を説明するための図である。
【図４】図４は、情報認識部による文字列の認識処理を説明するための図である。
【図５】図５は、実施例１にて表示されるタッチパネルを説明するための図である。
【図６】図６は、端末制御部による処理結果を説明するための図（１）である。
【図７】図７は、端末制御部による処理結果を説明するための図（２）である。
【図８】図８は、実施例１における情報入力装置の処理を説明するためのフローチャートである。
【図９】図９は、実施例１における利用者端末の処理を説明するためのフローチャートである。
【図１０】図１０は、実施例２における情報入力装置を説明するための図である。
【図１１】図１１は、実施例２における情報入力装置の処理を説明するためのフローチャートである。
【図１２】図１２は、変形例を説明するための図である。
【発明を実施するための形態】
【００１３】
以下に添付図面を参照して、この発明に係る情報入力装置および情報入力方法の実施例を詳細に説明する。なお、以下では、本発明に係る情報入力方法を実行する情報入力装置を実施例として説明する。
【実施例１】
【００１４】
まず、図１を用いて、実施例１における情報入力装置の外観の一例について説明する。図１は、実施例１における情報入力装置の外観例を説明するための図である。
【００１５】
実施例１における情報入力装置１０は、図１の（Ａ）に示すように、ＰＣ（Personal Computer）や携帯電話といった利用者が操作する利用者端末２０と接続されている。例えば、情報入力装置１０と利用者端末２０とは、通信ケーブルを介して接続されている。なお、本発明は、情報入力装置１０と利用者端末２０との間でデータ通信が可能であるならば、任意の接続形態が適用可能である。
【００１６】
そして、情報入力装置１０は、図１の（Ｂ）に示すように、下面に撮影機能を有し、上面に撮影機能によって撮影された画像を表示したり、利用者が操作指示を入力するためのタッチパネルを表示したりするための表示機能を有する。例えば、利用者は、図１の（Ｃ）に示すように、情報入力装置１０を上から覗き込むことにより、表示機能によって表示されている画像を参照する。
【００１７】
ここで、実施例１における情報入力装置１０は、利用者端末２０と協働して利用者が所望する情報の入力処理を実行するが、利用者が所望する情報を幅広い情報源から読み取ることで、利用者の情報入力にかかる労力を低減することが可能となることに主たる特徴がある。
【００１８】
以下、この主たる特徴について、図２〜７を用いて説明する。なお、図２は、実施例１における情報入力装置の構成を説明するためのブロック図であり、図３は、実施例１において用いられる文書の具体例を説明するための図であり、図４は、情報認識部による文字列の認識処理を説明するための図であり、図５は、実施例１にて表示されるタッチパネルを説明するための図であり、図６および７は、端末制御部による処理結果を説明するための図である。
【００１９】
図２に示すように、実施例１における情報入力装置１０は、入力部１１と、表示部１２と、撮影部１３と、通信部１４と、入出力制御Ｉ／Ｆ部１５と、記憶部１６と、制御部１７とを有し、利用者端末２０と接続される。
【００２０】
利用者端末２０は、ＰＣや携帯電話など、利用者が操作する端末であり、特に本実施例に密接に関係するものとして、アプリケーション群２１を有する。アプリケーション群２１は、利用者が直接的または間接的に入力した情報を用いて、各種処理を実行する各種アプリケーションから構成され、アプリケーション群２１の各種アプリケーションは、図示しない利用者端末２０が有するＯＳ（Operating System）による制御のもと、所定の処理を実行する。なお、本実施例において、各種処理を実行するアプリケーションについては、後に詳述する。
【００２１】
入力部１１は、利用者から操作指示を受け付ける。具体的には、入力部１１は、操作指示を入力するための各種ボタンや、表示部１２が表示するタッチパネルなどを介して、利用者から操作指示を受け付ける。
【００２２】
表示部１２は、図１を用いて説明した表示機能に対応し、後述する撮影画像生成部１７ａによって生成された撮影画像を表示したり、タッチパネルを表示したりするためのモニタである。
【００２３】
撮影部１３は、図１を用いて説明した撮影機能に対応し、利用者が配置した印刷物や手書きのメモなどの文書を撮影するカメラであり、例えば、ＣＣＤカメラなどが用いられる。
【００２４】
通信部１４は、利用者端末２０と情報入力装置１０との間でデータの送受信を行なう装置である。
【００２５】
入出力制御Ｉ／Ｆ部１５は、入力部１１、表示部１２、撮影部１３および通信部１４と、記憶部１６および制御部１７との間におけるデータ転送を制御する。
【００２６】
記憶部１６は、制御部１７による各種処理結果を記憶し、図２に示すように、特に本実施例に密接に関連するものとして、撮影画像記憶部１６ａおよび認識結果記憶部１６ｂを有する。
【００２７】
撮影画像記憶部１６ａは、後述する撮影画像生成部１７ａによる処理結果を記憶し、認識結果記憶部１６ｂは、後述する情報認識部１７ｃによる処理結果を記憶するが、これらについては、後に詳述する。
【００２８】
制御部１７は、入出力制御Ｉ／Ｆ部１５から転送された情報に基づいて、各種処理を実行し、特に本実施例に密接に関連するものとして、撮影画像生成部１７ａと、表示制御部１７ｂと、情報認識部１７ｃと、端末制御部１７ｄとを有する。
【００２９】
撮影画像生成部１７ａは、撮影部１３が撮影した文書の撮影データから画像（以下、撮影画像と記す）を生成し、生成した撮影画像を撮影画像記憶部１６ａに格納する。
【００３０】
例えば、まず、利用者は、読み取りたい情報が記載されている文書（印刷物や、はがきなど）を机などの水平な場所に配置する。そして、利用者は、文書の上に撮影部１３を置いたのち、入力部１１が有する撮影開始ボタンを押下する。
【００３１】
撮影開始ボタンが押下されると、撮影部１３は、撮影データを取得し、取得した撮影データを、撮影画像生成部１７ａに転送する。そして、撮影画像生成部１７ａは、転送された撮影データから、利用者が撮影部１３に対して配置した文書の撮影画像を生成する。
【００３２】
表示制御部１７ｂは、撮影画像記憶部１６ａに格納された撮影画像を読み出して、表示部１２のモニタにて表示するように制御する。また、表示制御部１７ｂは、利用者がモニタにて表示された撮影画像にて指定した範囲を、白黒反転表示するように制御する。また、表示制御部１７ｂは、利用者が所望する処理を指定するためのタッチパネルを表示部１２のモニタに表示するように制御する。
【００３３】
情報認識部１７ｃは、文字認識機能により、表示制御部１７ｂの制御に基づいて表示部１２のモニタにて表示された撮影画像、または、撮影画像にて利用者が指定した範囲に描出されている文字列を認識する。そして、情報認識部１７ｃは、認識した文字列を認識結果として、認識結果記憶部１６ｂに格納する。
【００３４】
端末制御部１７ｄは、利用者が指定した処理に対応するアプリケーションにて、情報認識部１７ｃが認識した文字列を用いた処理が実行されるように制御するための実行指示を、通信部１４を介して、利用者端末２０のＯＳに通知する。
【００３５】
上述した制御部１７による一連の処理について、図３の（Ａ）および（Ｂ）に示す文書を用いて具体的に説明する。ここで、図３の（Ａ）に示す「原稿」は、利用者が参照している書類の原稿を印刷した文書であり、「この発明は人にやさしいインタフェースを提供します。」と記載されている。
【００３６】
また、図３の（Ｂ）に示す「はがき」は、利用者宛に「Ａ田Ｂ子」さんから届いた文書であり、「こんにちは  連絡くださいね。」のメッセージとともに、「Ａ田Ｂ子」さんの電話番号、電子メールアドレスおよびＵＲＬが記載されている。
【００３７】
そこで、利用者は、自身が所望する情報を読み取るために、撮影部１３にて図３の（Ａ）および（Ｂ）に示す文書を撮影する。これにより、撮影画像生成部１７ａは撮影画像を生成し、表示制御部１７ｂの制御により、表示部１２のモニタは、利用者に対して、撮影画像が文書から浮き上がって見えているかのように表示する。
【００３８】
ここで、利用者は、図４の（Ａ）に示すように、図３の（Ａ）に示す「原稿」の撮影画像「この発明は人に」を参照して、情報認識部１７ｃが文字認識を行なうための範囲を指定する。例えば、利用者は、表示部１２のモニタ上にて「発」から「明」の範囲を指でなぞることで指定し、その結果、表示制御部１７ｂは、図４の（Ａ）に示すように、指定された「発明」の範囲を白黒反転表示させるように制御する。そして、指定した範囲が間違いなく反転されていることを確認した利用者は、反転表示されている部分をタップする。
【００３９】
これにより、図４の（Ａ）に示すように、情報認識部１７ｃは、文字認識により、撮影画像の指定範囲における文字列「発明」を認識する。
【００４０】
また、利用者は、図４の（Ｂ）に示すように、図３の（Ｂ）に示す「はがき」の撮影画像「Ｌ  ０９０−ｘｘｘｘ−ｙｙｙｙ」を参照して、情報認識部１７ｃが文字認識を行なうための範囲を指定する。すなわち、上述したように、利用者は、表示部１２のモニタ上にて「０」から「ｙ」の範囲を指でなぞることで指定し、その結果、表示制御部１７ｂは、図４の（Ｂ）に示すように、指定された「０９０−ｘｘｘｘ−ｙｙｙｙ」の範囲を白黒反転表示させるように制御する。そして、指定した範囲が間違いなく反転されていることを確認した利用者は、反転表示されている部分をタップする。
【００４１】
これにより、図４の（Ｂ）に示すように、情報認識部１７ｃは、文字認識により、撮影画像の指定範囲における文字列「０９０−ｘｘｘｘ−ｙｙｙｙ」を認識する。
【００４２】
また、利用者は、図４の（Ｃ）に示すように、図３の（Ｂ）に示す「はがき」の撮影画像「ール  ＡＢＡＢ＠ｃｄｅ．ｃｏｍ」を参照して、情報認識部１７ｃが文字認識を行なうための範囲を指定する。すなわち、上述したように、利用者は、表示部１２のモニタ上にて「Ａ」から「ｍ」の範囲を指でなぞることで指定し、その結果、表示制御部１７ｂは、図４の（Ｃ）に示すように、指定された「ＡＢＡＢ＠ｃｄｅ．ｃｏｍ」の範囲を白黒反転表示させるように制御する。そして、指定した範囲が間違いなく反転されていることを確認した利用者は、反転表示されている部分をタップする。
【００４３】
これにより、図４の（Ｃ）に示すように、情報認識部１７ｃは、文字認識により、撮影画像の指定範囲における文字列「ＡＢＡＢ＠ｃｄｅ．ｃｏｍ」を認識する。
【００４４】
また、利用者は、図４の（Ｄ）に示すように、図３の（Ｂ）に示す「はがき」の撮影画像「Ｌ  ｈｔｔｐ:／／ｗｗｗ．ｅｆｇｆ．ｃｏｍ」を参照して、情報認識部１７ｃが文字認識を行なうための範囲を指定する。すなわち、上述したように、利用者は、表示部１２のモニタ上にて「ｈ」から「ｍ」の範囲を指でなぞることで指定し、その結果、表示制御部１７ｂは、図４の（Ｄ）に示すように、指定された「ｈｔｔｐ:／／ｗｗｗ．ｅｆｇｆ．ｃｏｍ」の範囲を白黒反転表示させるように制御する。そして、指定した範囲が間違いなく反転されていることを確認した利用者は、反転表示されている部分をタップする。
【００４５】
これにより、図４の（Ｄ）に示すように、情報認識部１７ｃは、文字認識により、撮影画像の指定範囲における文字列「ｈｔｔｐ:／／ｗｗｗ．ｅｆｇｆ．ｃｏｍ」を認識する。
【００４６】
なお、撮影範囲が適切であり、撮影画像に読み取り対象となる情報のみが描出されている場合、利用者は、範囲指定を実行せずに、例えば、図示しない認識開始ボタンを押下することで、情報認識部１７ｃによる文字認識処理を実行させてもよい。
【００４７】
そして、情報認識部１７ｃは、認識した「発明」や「０９０−ｘｘｘｘ−ｙｙｙｙ」や「ＡＢＡＢ＠ｃｄｅ．ｃｏｍ」や「ｈｔｔｐ:／／ｗｗｗ．ｅｆｇｆ．ｃｏｍ」を、認識結果記憶部１６ｂに格納する。
【００４８】
そして、表示制御部１７ｂは、情報認識部１７ｃが認識された文字列が認識結果記憶部１６ｂに格納されると、表示部１２のモニタ上に、図５に示すように、タッチパネルとして、「指定一覧」を表示させる。ここで、「指定一覧」には、利用者が所望する処理を指定するための各項目が表示されており、例えば、「辞書」、「電話」、「メール」、「サイト閲覧」、「サイト検索」、「メール検索」、「番号検索」などが一覧表示される。そして、利用者は、認識された文字列を用いて自身が実行したい処理を、指定一覧の項目をタップすることで指定する。
【００４９】
そして、端末制御部１７ｄは、「指定一覧」にて指定された処理に該当するアプリケーションにて、『認識された文字列を用いた処理が実行されるように制御するための実行指示』を、通信部１４を介して利用者端末２０のＯＳに送信する。なお、実行指示には、指定された処理に該当するアプリケーションの起動指示も含まれる。
【００５０】
例えば、端末制御部１７ｄは、文字列「発明」が認識され、「指定一覧」の「辞書」が利用者によりタップされた場合、『アプリケーション群２１の辞書検索アプリケーションにて、「発明」をクエリーとする辞書検索が実行されるように制御するための実行指示』を送信する。
【００５１】
そして、実行指示を受信した利用者端末２０のＯＳの制御により、アプリケーション群２１の辞書検索アプリケーションは、図６の（Ａ）に示すように、「発明」の辞書検索を実行して、検索結果を表示する。
【００５２】
また、端末制御部１７ｄは、文字列「０９０−ｘｘｘｘ−ｙｙｙｙ」が認識され、「指定一覧」の「電話」が利用者によりタップされた場合、『アプリケーション群２１の電話アプリケーションにて、「０９０−ｘｘｘｘ−ｙｙｙｙ」を電話番号として発信する処理が実行されるように制御するための実行指示』を送信する。
【００５３】
そして、実行指示を受信した利用者端末２０のＯＳの制御により、アプリケーション群２１の電話アプリケーションは、図６の（Ｂ）に示すように、文字列「０９０−ｘｘｘｘ−ｙｙｙｙ」を電話番号入力画面に設定する。なお、実際の電話発信は、利用者により電話番号入力画面の「発信」ボタンが押下されない限り実行されない。
【００５４】
また、端末制御部１７ｄは、文字列「ＡＢＡＢ＠ｃｄｅ．ｃｏｍ」が認識され、「指定一覧」の「メール」が利用者によりタップされた場合、『アプリケーション群２１の電子メールアプリケーションにて、「ＡＢＡＢ＠ｃｄｅ．ｃｏｍ」を宛先アドレスとする電子メールの作成が実行されるように制御するための実行指示』を送信する。
【００５５】
そして、実行指示を受信した利用者端末２０のＯＳの制御により、アプリケーション群２１の電子メールアプリケーションは、図６の（Ｃ）に示すように、文字列「ＡＢＡＢ＠ｃｄｅ．ｃｏｍ」をメール作成画面の宛先欄に設定する。
【００５６】
また、端末制御部１７ｄは、文字列「ｈｔｔｐ:／／ｗｗｗ．ｅｆｇｆ．ｃｏｍ」が認識され、「指定一覧」の「サイト閲覧」が利用者によりタップされた場合、『アプリケーション群２１のブラウザにて、「ｈｔｔｐ:／／ｗｗｗ．ｅｆｇｆ．ｃｏｍ」をＵＲＬとするウェブサイトの表示が実行されるように制御するための実行指示』を送信する。
【００５７】
そして、実行指示を受信した利用者端末２０のＯＳの制御により、アプリケーション群２１のブラウザは、図６の（Ｄ）に示すように、「ｈｔｔｐ:／／ｗｗｗ．ｅｆｇｆ．ｃｏｍ」をＵＲＬの入力欄に設定する。なお、図には示さないが、アプリケーション群２１のブラウザは、ＵＲＬの入力欄に設定されたウェブサイトに自動的にアクセスする。
【００５８】
あるいは、端末制御部１７ｄは、文字列「発明」が認識され、「指定一覧」の「サイト検索」が利用者により押下された場合、『アプリケーション群２１のブラウザにて、検索サイト「ｈｔｔｐ:／／ｗｗｗ．ａｂｃｄ．ｃｏｍ」にて、「発明」をクエリーとするサイト検索が実行されるように制御するための実行指示』を送信する。
【００５９】
そして、実行指示を受信した利用者端末２０のＯＳの制御により、アプリケーション群２１のブラウザは、図７の（Ａ）に示すように、検索サイト「ｈｔｔｐ:／／ｗｗｗ．ａｂｃｄ．ｃｏｍ」のキーワード入力欄に「発明」を設定して、ウェブサイトの検索を実行する。そして、アプリケーション群２１のブラウザは、図７の（Ｂ）に示すように、ウェブサイトの検索結果を表示する。
【００６０】
あるいは、端末制御部１７ｄは、文字列「Ｃ山Ｄ男」が認識され、「指定一覧」の「メール検索」が利用者により押下された場合、『アプリケーション群２１の電子メールアプリケーションにて、「Ｃ山Ｄ男」の電子メールアドレス検索が実行されるように制御するための実行指示』を送信する。
【００６１】
そして、実行指示を受信した利用者端末２０のＯＳの制御により、アプリケーション群２１の電子メールアプリケーションは、図７の（Ｃ）に示すように、「Ｃ山Ｄ男」のメールアドレスを検索して、検索結果「ＣＤＣＤ＠ｃｄｅ．ｃｏｍ」を表示する。
【００６２】
あるいは、端末制御部１７ｄは、文字列「Ｃ山Ｄ男」が認識され、「指定一覧」の「番号検索」が利用者により押下された場合、『アプリケーション群２１の電話アプリケーションにて、「Ｃ山Ｄ男」の電子番号検索が実行されるように制御するための実行指示』を送信する。
【００６３】
そして、実行指示を受信した利用者端末２０のＯＳの制御により、アプリケーション群２１の電話アプリケーションは、図７の（Ｄ）に示すように、「Ｃ山Ｄ男」のメールアドレスを検索して、検索結果「０９０−ｘｘｘｘ−ｚｚｚｚ」を表示する。
【００６４】
なお、上記では、アプリケーション群２１による処理結果が、利用者端末２０にて表示される場合について説明したが、本発明はこれに限定されるものではなく、アプリケーション群２１による処理結果を受信した情報入力装置１０の表示部１２にて表示される場合であってもよい。
【００６５】
続いて、図８および図９を用いて実施例１における情報入力装置１０および利用者端末２０の処理の手順について説明する。図８は、実施例１における情報入力装置の処理を説明するためのフローチャートであり、図９は、実施例１における利用者端末の処理を説明するためのフローチャートである。
【００６６】
図８に示すように、本実施例における情報入力装置１０は、利用者が撮影部１３に対して文書を配置したうえで撮影開始ボタンを押下することにより、撮影指示を受け付けると（ステップＳ１０１肯定）、撮影画像生成部１７ａは、撮影部１３が撮影した文書の撮影データから撮影画像を生成する（ステップＳ１０２）。
【００６７】
そして、表示制御部１７ｂは、撮影画像を表示部１２のモニタにて表示するように制御し（ステップＳ１０３）、情報認識部１７ｃは、モニタに表示されている表示範囲または利用者が指定した指定範囲にて文字列認識処理を実行する（ステップＳ１０４）。
【００６８】
そののち、表示制御部１７ｂは、指定一覧をタッチパネルとして表示部１２のモニタにて表示するように制御し（ステップＳ１０５）、端末制御部１７ｄは、利用者により処理内容が指定されたか否かを判定する（ステップＳ１０６）。
【００６９】
端末制御部１７ｄは、利用者により処理内容が指定されない場合（ステップＳ１０６否定）、処理内容を受け付けるまで待機する。
【００７０】
一方、利用者により処理内容が指定された場合（ステップＳ１０６肯定）、端末制御部１７ｄは、通信部１４を介して、処理内容に該当するアプリケーションにて、認識された文字列を用いた処理が実行されるように制御する実行指示を利用者端末２０に送信し（ステップＳ１０７）、処理を終了する。
【００７１】
次に、利用者端末２０の処理について説明する。図９に示すように、実施例１における利用者端末２０は、情報入力装置１０から実行指示を受け付けると（ステップＳ２０１肯定）、利用者端末２０のＯＳは、アプリケーション群２１のうち、実行指示にて指定されたアプリケーションを起動させる（ステップＳ２０２）。
【００７２】
そして、利用者端末２０のＯＳは、起動したアプリケーションにて、実行指示により受信した文字列を用いた処理を実行するように制御し（ステップＳ２０３）、そののち、処理結果を表示するように制御し（ステップＳ２０４）、処理を終了する。なお、利用者端末２０は、処理結果を自身が有するモニタにて表示するが、上述したように、処理結果は、情報入力装置１０の表示部１２にて表示される場合であってもよい。
【００７３】
上述してきたように、実施例１では、撮影部１３に対して文書を配置した利用者から撮影指示を受け付けると、撮影画像生成部１７ａは、撮影部１３が撮影した文書の撮影画像を生成し、表示制御部１７ｂは、撮影画像を表示部１２のモニタにて表示するように制御する。そして、情報認識部１７ｃは、モニタに表示されている表示範囲または利用者が指定した指定範囲にて文字列認識処理を実行し、表示制御部１７ｂは、利用者が所望する処理を指定するための指定一覧をタッチパネルとして表示部１２のモニタにて表示するように制御する。端末制御部１７ｄは、利用者により処理内容が指定された場合、通信部１４を介して、処理内容に該当するアプリケーションにて、認識された文字列を用いた処理が実行されるように制御する実行指示を利用者端末２０に送信する。
【００７４】
したがって、利用者は、自身が入力したい情報が記載されている任意の情報源から所望の情報を自動的に入力することができ、上記した主たる特徴の通り、利用者が所望する情報を幅広い情報源から読み取ることで、利用者の情報入力にかかる労力を低減することが可能となる。
【００７５】
また、文字認識の範囲を指定することができるので、文字認識処理の正確性を保証することができ、利用者の情報入力にかかる労力をさらに低減することが可能となる。また、情報入力だけでなく、入力された情報に基づく処理を自動的に利用者端末２０にて実行させることができ、利用者の操作指示入力にかかる労力を低減することが可能となる。
【実施例２】
【００７６】
上述した実施例１では、利用者端末２０にて実行される処理が利用者によって指定される場合について説明したが、実施例２では、利用者端末２０にて実行される処理が情報入力装置１０によって特定される場合について説明する。
【００７７】
実施例２における情報入力装置１０は、図２を用いて説明した実施例１における情報入力装置１０と同様の構成となるが、情報認識部１７ｃが実行する処理内容が実施例１と異なる。以下、これを中心に説明する。
【００７８】
実施例２における情報認識部１７ｃは、認識した文字列に含まれる情報に応じて、利用者が所望する処理を実行するためのアプリケーションを特定する。例えば、実施例２における情報認識部１７ｃは、文字列に含まれる特徴的な情報に応じて、認識した文字列が電話番号であるか否か、電子メールアドレスであるか否か、ＵＲＬであるか否かなどを解析して、解析結果と連携するアプリケーションを特定する。
【００７９】
例えば、情報認識部１７ｃは、図１０の（Ａ）に示すように、文字認識により「０９０−ｘｘｘｘ−ｙｙｙｙ」を文字列として認識した場合、連続する数字の桁数およびハイフンの位置から、「０９０−ｘｘｘｘ−ｙｙｙｙ」が電話番号であり、連携するアプリケーションが電話アプリケーションであると特定する。
【００８０】
また、情報認識部１７ｃは、図１０の（Ｂ）に示すように、文字認識により「ＡＢＡＢ＠ｃｄｅ．ｃｏｍ」を文字列として認識した場合、アットマークが含まれることから「ＡＢＡＢ＠ｃｄｅ．ｃｏｍ」が電子メールアドレスであり、連携するアプリケーションが電子メールアプリケーションであると特定する。
【００８１】
また、情報認識部１７ｃは、図１０の（Ｃ）に示すように、文字認識により「ｈｔｔｐ:／／ｗｗｗ．ｅｆｇｆ．ｃｏｍ」を文字列として認識した場合、「ｈｔｔｐ」や「ｗｗｗ」などが含まれることから「ｈｔｔｐ:／／ｗｗｗ．ｅｆｇｆ．ｃｏｍ」がＵＲＬであり、連携するアプリケーションがブラウザであると特定する。
【００８２】
そして、情報認識部１７ｃは、認識した文字列および特定したアプリケーションを認識結果記憶部１６ｂに格納し、端末制御部１７ｄは、認識結果記憶部１６ｂから特定されたアプリケーションおよび文字列を読み出して、通信部１４を介して、実行指示を利用者端末２０に送信する。
【００８３】
続いて、図１１を用いて実施例１における情報入力装置１０の処理の手順について説明する。図１１は、実施例２における情報入力装置の処理を説明するためのフローチャートである。なお、実施例２における利用者端末２０の処理は、図９を用いて説明した実施例１における利用者端末２０の処理と同様であるので、説明を省略する。
【００８４】
図１１に示すように、本実施例における情報入力装置１０は、利用者が撮影部１３に対して文書を配置したうえで撮影開始ボタンを押下することにより、撮影指示を受け付けると（ステップＳ３０１肯定）、撮影画像生成部１７ａは、撮影部１３が撮影した文書の撮影データから撮影画像を生成する（ステップＳ３０２）。
【００８５】
そして、表示制御部１７ｂは、撮影画像を表示部１２のモニタにて表示するように制御し（ステップＳ３０３）、情報認識部１７ｃは、表示範囲または指定範囲にて文字列認識処理を実行する（ステップＳ３０４）。
【００８６】
そののち、情報認識部１７ｃは、認識した文字列を解析して、解析結果と連携するアプリケーションを特定し（ステップＳ３０５）、端末制御部１７ｄは、通信部１４を介して、特定したアプリケーションにて、認識された文字列を用いた処理が実行されるように制御する実行指示を利用者端末２０に送信し（ステップＳ３０６）、処理を終了する。
【００８７】
なお、ステップＳ３０５において、情報認識部１７ｃによりアプリケーションが特定されなかった場合は、実施例１と同様に、表示制御部１７ｂが指定一覧を表示するように制御することで、利用者により処理の指定が行なわれてもよい。
【００８８】
上述してきたように、実施例２では、利用者が所望する処理および利用者が所望する処理を実行可能なアプリケーションを自動的に特定するので、利用者の情報入力にかかる労力をより低減することが可能となる。
【００８９】
なお、上記した実施例１および２では、情報入力装置１０において、文字列を認識する場合について説明したが、本発明はこれに限定されるものではなく、利用者端末２０において文字列を認識する場合であってもよい。これについて、図１２を用いて説明する。なお、図１２は、変形例について説明するための図である。
【００９０】
すなわち、変形例における情報入力装置１０は、図１２に示すように、表示範囲または指定範囲の撮影画像を利用者端末２０に送信し、利用者端末２０は、自身が有する情報認識部を用いて、受信した撮影画像から文字列を認識する。これによっても、利用者が所望する情報を幅広い情報源から読み取ることで、利用者の情報入力にかかる労力を低減することが可能となる。
【００９１】
また、本発明は、情報入力装置１０の撮影対象が、手書きメモである場合であっても適用可能である。さらに、本発明は、情報入力装置１０の撮影対象が、上述したような紙媒体でなく、利用者端末２０のモニタや、他の端末装置のモニタにて表示されている画面である場合であっても適用可能である。
【００９２】
また、本発明は、情報認識部１７ｃにバーコード読み取り機能や電子透かし読み取り機能をさらに付加して、一次元バーコードやＱＲコードなどの二次元バーコードや画像に埋め込まれた電子すかしの情報を読み取ることによって認識された文字列を用いて上述した情報入力処理を実行する場合であってもよい。
【００９３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９４】
なお、本実施例で説明した情報入力方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【００９５】
以上のように、本発明に係る情報入力装置および情報入力方法は、利用者が操作する利用者端末と協働して、当該利用者が所望する情報の入力処理を実行する場合に有用であり、特に、利用者が所望する情報を幅広い情報源から読み取ることで、利用者の情報入力にかかる労力を低減することに適する。
【符号の説明】
【００９６】
１０  情報入力装置
１１  入力部
１２  表示部
１３  撮影部
１４  通信部
１５  入出力制御Ｉ／Ｆ部
１６  記憶部
１６ａ  撮影画像記憶部
１６ｂ  認識結果記憶部
１７  制御部
１７ａ  撮影画像生成部
１７ｂ  表示制御部
１７ｃ  情報認識部
１７ｄ  端末制御部
２０  利用者端末
２１  アプリケーション群
【図１】
2010244211.tif 000003
【図２】
2010244211.tif 000004
【図３】
2010244211.tif 000005
【図４】
2010244211.tif 000006
【図５】
2010244211.tif 000007
【図６】
2010244211.tif 000008
【図７】
2010244211.tif 000009
【図８】
2010244211.tif 000010
【図９】
2010244211.tif 000011
【図１０】
2010244211.tif 000012
【図１１】
2010244211.tif 000013
【図１２】
2010244211.tif 000014